(57)【要約】【課題】標本化周波数が高い場合でも所定のＮＯＬＭ伝達関数を実現できる光ＡＤ変換方法及び光ＡＤ変換器を提供する。【解決手段】光ＡＤ変換器１は、ＮＯＬＭ２と矩形化器３、及び矩形化器３からの出力光をＮＯＬＭ２に入射するための光カプラ４から構成される。標本化された光アナログ信号であるパルス状コントロール光１１は、Ｇａｕｓｓ関数型もしくはｓｅｃｈ関数型のパルス列で形成されており、これを矩形化器３に入射して矩形状コントロール光１２に整形し、これを光カプラ４からＮＯＬＭ２に入射する。透過ポート８からは、スイッチングされたプローブ光１４が出力される。【選択図】      図１
2007256323.tif 000002
【特許請求の範囲】
【請求項１】
プローブ光と標本化されたアナログ光であるコントロール光とをＮＯＬＭ（非線形光ループミラー）に入射して前記プローブ光を前記コントロール光でスイッチングする光ＡＤ変換方法であって、
前記コントロール光を矩形化して前記ＮＯＬＭに入射することを特徴とする光ＡＤ変換方法。
【請求項２】
前記コントロール光を所定の光ファイバに伝搬させることで矩形化することを特徴とする請求項１に記載の光ＡＤ変換方法。
【請求項３】
前記所定の光ファイバは偏波保持ファイバであり、前記コントロール光の偏波状態を直交固有偏波状態に対しパワーが等分されるよう調整して前記偏波保持ファイバに入射することを特徴とする請求項２に記載の光ＡＤ変換方法。
【請求項４】
前記所定の光ファイバは、正常分散ファイバであることを特徴とする請求項２に記載の光ＡＤ変換方法。
【請求項５】
前記正常分散ファイバは、高非線形ファイバであることを特徴とする請求項４に記載の光ＡＤ変換方法。
【請求項６】
前記所定の光ファイバは、高非線形ファイバと低非線形正常分散ファイバとを接続して形成されることを特徴とする請求項２に記載の光ＡＤ変換方法。
【請求項７】
プローブ光と標本化されたアナログ光であるコントロール光とをＮＯＬＭに入射して前記プローブ光を前記コントロール光でスイッチングする光ＡＤ変換器であって、
前記コントロール光を矩形化する矩形化器を備え、
前記矩形化器で矩形化された前記コントロール光を前記ＮＯＬＭに入射することを特徴とする光ＡＤ変換器。
【請求項８】
前記矩形化器は、所定の光ファイバを備えることを特徴とする請求項７に記載の光ＡＤ変換器。
【請求項９】
前記所定の光ファイバは偏波保持ファイバであり、前記コントロール光の偏波状態を直交固有偏波状態に対しパワーが等分されるよう調整して前記偏波保持ファイバに入射することを特徴とする請求項８に記載の光ＡＤ変換器。
【請求項１０】
前記光ファイバは、正常分散ファイバであることを特徴とする請求項８に記載の光ＡＤ変換器。
【請求項１１】
前記正常分散ファイバは、高非線形ファイバであることを特徴とする請求項１０に記載の光ＡＤ変換器。
【請求項１２】
前記光ファイバは、高非線形ファイバと低非線形正常分散ファイバとを接続して形成されることを特徴とする請求項８に記載の光ＡＤ変換器。
【発明の詳細な説明】
【技術分野】
【０００１】
本発明は、光アナログ信号を光ディジタル信号に変換する光アナログーディジタル（ＡＤ）変換器の技術分野に関するものである。
【背景技術】
【０００２】
アナログーディジタル（ＡＤ）変換及びディジタルーアナログ（ＤＡ）変換は、連続的に変化するアナログ信号と、信号処理、伝達、記録などに適したディジタル信号とを結ぶ技術として研究及び開発が行われている。近年の信号処理速度の向上に伴い、電子デバイスの動作制限を受けない超高速光ＡＤ変換、超高速光ＤＡ変換が求められている。
【０００３】
ＡＤ変換には、標本化、量子化、及び符号化の３つの処理が必要である。電子デバイスの発展には目を見張るものがあり、電気的なＡＤ変換では並列処理を導入して高速化の努力が図られている。しかしながら、電子回路の熱雑音、標本化のアパチャのジッタ、比較器の曖昧性、さらにはハイゼンベルグの不確定性原理などの物理的な限界から、標本化周波数は高々数１０ＧＨｚとされている。
【０００４】
そこで、より高速な処理を実現するものとして、光ＡＤ変換の研究・開発が進められており、特に高速大容量化のニーズが高い通信分野において重要性が高まっている。
光標本化を実現する方法として、２次の非線形光学結晶中での和周波発生を用いる方法、非線形光ループミラー中での相互位相変調（ＸＰＭ）を用いる方法、及び光ファイバ中での四光波混合（ＦＷＭ）を用いる方法等がすでに提案されている。
【０００５】
一方、量子化及び符号化は動作が複雑であることから、光信号に対して実現することは容易ではない。光信号の量子化及び符号化を一括して実現するために、Ｓａｇｎａｃ干渉計に基づく非線形光ループミラー（ＮＯＬＭ）スイッチを用いる方法が特許文献１で提案されている。以下では、特許文献１で記載の量子化及び符号化の方法について図７を用いて説明する。
【０００６】
標本化された光アナログ信号として、強度が光アナログ信号の振幅に比例する光パルス列を用い、これをコントロール光１１１としている。図７では、コントロール光１１１を光カプラ１０２からＮＯＬＭ１０１に入射しており、ＮＯＬＭ１０１の一方向にのみ（時計回り）伝搬するようにしている。
【０００７】
またプローブ光１１２として、標本化された光アナログ信号である前記コントロール光１１１の標本化クロックに同期した光パルス列を用いている。プローブ光１１２は、光カプラ１０３の入力ポート１０４からＮＯＬＭ１０１に入射され、ＮＯＬＭ１０１の両方向に伝搬するようにしている。図７では、時計回りのプローブ光を１１２Ａとし、反時計回りのプローブ光を１１２Ｂとしている。
【０００８】
ＮＯＬＭ１０１中を両方向に伝搬するプローブ光１１２のうち、コントロール光１１１と同じ方向に伝搬するプローブ光１１２Ａは、コントロール光１１１と時間的に重ね合わせられ、両者の間でＸＰＭが発生する。プローブ光１１２Ａには、コントロール光１１１とのＸＰＭによる位相シフトが発生するが、その量はコントロール光１１１の強度、すなわち前記標本化されたアナログ信号の強度に比例する。
【０００９】
コントロール光１１１が存在しない場合には、ＮＯＬＭ１０１を一周伝搬したプローブ光１１２Ａと１１２Ｂとはそれぞれ同じ位相となっている。その結果、透過ポート１０５では両者が逆位相で干渉して両方の成分が消える一方、入射ポート１０４では両者が同位相で干渉して強め合い、結果的にプローブ光１１２は入射ポート１０４に出力される。
【００１０】
コントロール光１１１を光カプラ１０２から入射する場合、その強度を線形的に大きくしていくと、プローブ光１１２がスイッチングされて透過ポート１０５へ出力される割合（スイッチングされたプローブ光１１３の出力割合）、すなわちＮＯＬＭ１０１の伝達関数が正弦波的に変化する。特許文献１では、正弦波的な前記伝達関数の周期が異なる複数のＮＯＬＭスイッチを構成することで、量子化及びＧｒａｙ符号に基づく符号化を実現している。
【００１１】
一方、光信号処理の別の技術として、例えば光信号の再生等に必要な光信号の波形整形に関する技術もすでに知られており、例えば非特許文献１、あるいは非特許文献２に報告されている技術がある。
【特許文献１】特開２００５−１７３５３０号
【特許文献２】ＷＯ２００３−１０４８８６
【非特許文献１】S. Watanabe et al., “160 Gbit/s Optical 3R-Regenerator in a Fiber Transmission Experiment”, OFC2003, PD16(2003)
【非特許文献２】H. Nakatsuka et al., Phys. Rev. Lett. Vol. 47, p.910 (1981).
【発明の開示】
【発明が解決しようとする課題】
【００１２】
しかしながら、上記従来の技術では以下のような問題があった。図７に示すＮＯＬＭ１０１の内部でコントロール光１１１とプローブ光１１２Ａとの間でＸＰＭを発生させるためには、以下の条件を満たす必要がある。第一に、コントロール光１１１とプローブ光１１２Ａとが時間的に重なりを持つこと、第二に、コントロール光１１１とプローブ光１１２の波長が異なっていること、そして第三に、コントロール光１１１をポンプ光とするパラメトリック増幅効果によってプローブ光１１２Ａが受ける利得を、できる限り抑圧することである。
【００１３】
ＸＰＭの効率を最大にするためには、図８に示すようにコントロール光１１１とプローブ光１１２Ａの頭頂部の位置を常に一致させ、同じ群速度でＮＯＬＭ１０１中を伝搬させる必要があるが、そのためにはコントロール光１１１とプローブ光１１２のそれぞれの波長の中間において、ＮＯＬＭ１０１を構成する非線形ファイバの分散値が零である必要がある。
【００１４】
仮に前記非線形ファイバの分散値が零でない場合には、コントロール光１１１とプローブ光１１２との波長差が両者の群速度差となり、ＮＯＬＭ１０１内を伝搬中にコントロール光１１１とプローブ光１１２との間に時間位置のずれ（ウォークオフ）が発生して、ＸＰＭの効率が劣化してしまうといった問題がある。ウォークオフの１例を図９に示す。
【００１５】
通常、光パルスの波形はＧａｕｓｓ関数もしくはｓｅｃｈ関数型が多く用いられるが、図９に示す通り、コントロール光１１１のパルス幅１２１（電力半値幅；ＦＷＨＭ）の半分に相当する時間差１２２が発生すると、ＸＰＭの効率がピーク値に比較して５０％劣化してしまうという問題がある。
【００１６】
一方、前記非線形ファイバの分散値を零に近づけた場合には、コントロール光１１１とプローブ光１１２Ａの間でＦＷＭ（四光波混合）が発生する。このＦＷＭによってプローブ光１１２Ａにパラメトリック利得が発生するため、出力時にプローブ光１１２Ａのエネルギーがプローブ光１１２Ｂを上回ることになり、意図された干渉効果を実現できず、ＮＯＬＭ１０１のスイッチ特性の劣化につながってしまうといった問題がある。
【００１７】
そこで特許文献１では、ＮＯＬＭ１０１を構成する非線形ファイバの分散値を零でない所定の値に設定することにより、多少のウォークオフを受容する代わりに、パラメトリック利得を抑圧する方法を提案している。しかしながら特許文献１の方法でも、標本化周波数が増大するとウォークオフの影響が顕著になってしまうといった問題がある。
【００１８】
標本化周波数が増大するほどウォークオフの影響が顕著になる理由として、第一に、コントロール光１１１やプローブ光１１２に用いる光パルスの幅が短くなるためである。ウォークオフの程度は、コントロール光１１１のパルス幅、及びコントロール光１１１とプローブ光Ａとの時間差の両者の相対的な関係で決まってくる。そのため、コントロール光１１１のパルス幅が短くなれば、前記時間差がわずかであってもコントロール光１１１とプローブ光１１２の重なりに著しく影響してしまう。
【００１９】
第二の理由として、前記光パルスの幅が短くなることで、周波数領域の観点からはそれぞれの信号の帯域が増大することになるため、両者の波長差を大きくする必要がある。その結果、同じファイバ分散値でも、波長差が大きいためより大きな時間差につながってしまう。
【００２０】
上記の理由から、パラメトリック利得を抑圧するためにＮＯＬＭ１０１を構成する非線形ファイバの分散値を零でない所定の値に設定すると、標本化周波数が増大した場合には、発生するウォークオフの幅が小さくてもその影響は顕著になってしまうといった問題がある。
【００２１】
そこで、本発明はこれらの問題を解決するためになされたものであり、標本化周波数が高い場合でも所定のＮＯＬＭ伝達関数を実現できる光ＡＤ変換方法及び光ＡＤ変換器を提供することを目的とする。
【課題を解決するための手段】
【００２２】
この発明の第１の態様は、プローブ光と標本化されたアナログ光であるコントロール光とをＮＯＬＭ（非線形光ループミラー）に入射して前記プローブ光を前記コントロール光でスイッチングする光ＡＤ変換方法であって、前記コントロール光を矩形化して前記ＮＯＬＭに入射することを特徴とする光ＡＤ変換方法である。
【００２３】
この発明の第２の態様は、前記コントロール光を所定の光ファイバに伝搬させることで矩形化することを特徴とする光ＡＤ変換方法である。
【００２４】
この発明の第３の態様は、前記所定の光ファイバが偏波保持ファイバであり、前記コントロール光の偏波状態を直交固有偏波状態に対しパワーが等分されるよう調整して前記偏波保持ファイバに入射することを特徴とする光ＡＤ変換方法である。
【００２５】
この発明の第４の態様は、前記所定の光ファイバが、正常分散ファイバであることを特徴とする光ＡＤ変換方法である。
【００２６】
この発明の第５の態様は、前記正常分散ファイバが、高非線形ファイバであることを特徴とする光ＡＤ変換方法である。
【００２７】
この発明の第６の態様は、前記所定の光ファイバが、高非線形ファイバと低非線形正常分散ファイバとを接続して形成されることを特徴とする光ＡＤ変換方法である。
【００２８】
この発明の第７の態様は、プローブ光と標本化されたアナログ光であるコントロール光とをＮＯＬＭに入射して前記プローブ光を前記コントロール光でスイッチングする光ＡＤ変換器であって、前記コントロール光を矩形化する矩形化器を備え、前記矩形化器で矩形化された前記コントロール光を前記ＮＯＬＭに入射することを特徴とする光ＡＤ変換器である。
【００２９】
この発明の第８の態様は、前記矩形化器が、所定の光ファイバを備えることを特徴とする光ＡＤ変換器である。
【００３０】
この発明の第９の態様は、前記所定の光ファイバが偏波保持ファイバであり、前記コントロール光の偏波状態を直交固有偏波状態に対しパワーが等分されるよう調整して前記偏波保持ファイバに入射することを特徴とする光ＡＤ変換器である。
【００３１】
この発明の第１０の態様は、前記光ファイバが、正常分散ファイバであることを特徴とする光ＡＤ変換器である。
【００３２】
この発明の第１１の態様は、前記正常分散ファイバが、高非線形ファイバであることを特徴とする光ＡＤ変換器である。
【００３３】
この発明の第１２の態様は、前記光ファイバが、高非線形ファイバと低非線形正常分散ファイバとを接続して形成されることを特徴とする光ＡＤ変換器である。
【発明の効果】
【００３４】
以上説明したように本発明によれば、コントロール光の時間波形を矩形化することによって、ＮＯＬＭ中を伝搬するコントロール光とプローブ光との間に生ずるウォークオフに起因するＸＰＭ効率劣化を低減することができる。これにより、標本化周波数が高い場合でも所定のＮＯＬＭ伝達関数を実現できる光ＡＤ変換方法及び光ＡＤ変換器を提供することが可能となる。
【発明を実施するための最良の形態】
【００３５】
図面を参照して本発明の好ましい実施の形態における光ＡＤ変換方法及び光ＡＤ変換器について詳細に説明する。なお、同一機能を有する各構成部については、図示及び説明簡略化のため、同一符号を付して示す。
【００３６】
本発明の光ＡＤ変換方法及び光ＡＤ変換器は、プローブ光と標本化されたアナログ光であるコントロール光とをＮＯＬＭに入射して前記プローブ光を前記コントロール光でスイッチングする光ＡＤ変換方法であり、前記コントロール光として用いるパルスの波形を、通常用いられるＧａｕｓｓ関数型もしくはｓｅｃｈ関数型から、パルス頭頂部が平坦な形、すなわち略矩形形状に変換してＮＯＬＭに入射するようにしている。
【００３７】
図１は、本発明の実施の形態に係る光ＡＤ変換器の構成を示す模式図である。光ＡＤ変換器１は、ＮＯＬＭ２と矩形化器３、及び矩形化器３からの出力光をＮＯＬＭ２に入射するための光カプラ４から構成される。また、ＮＯＬＭ２は、光ファイバ５と別の光カプラ６から構成されている。
【００３８】
標本化された光アナログ信号であるパルス状コントロール光１１は、通常用いられるＧａｕｓｓ関数型もしくはｓｅｃｈ関数型のパルス列で形成されており、各々のパルスの振幅が標本化対象の光アナログ信号の振幅に比例している。パルス状コントロール光１１は、矩形化器３に入射されて上記のパルス波形から略矩形状に整形され、これを矩形状コントロール光１２として光カプラ４からＮＯＬＭ２に入射される。そして、透過ポート８からスイッチングされたプローブ光１４が出力される。
【００３９】
一方、プローブ光１３は、前記光アナログ信号の標本化クロックに同期した光パルス列で形成されている。プローブ光１３は、光カプラ６の入力ポート７からＮＯＬＭ２に入射され、ＮＯＬＭ２の両方向に伝搬する。図１では、時計回りのプローブ光を１３Ａとし、反時計回りのプローブ光を１３Ｂとしている。
【００４０】
矩形化器３において実施される波形整形について、図２を用いて以下に説明する。図２は、パルス状コントロール光１１を略矩形状に整形して矩形状コントロール光１２を形成する波形整形の一例を示す図である。
【００４１】
図２において、コントロール光を通常用いられるＧａｕｓｓ関数型もしくはｓｅｃｈ関数型のパルス２１で形成する場合、パルス２１とプローブ光１３との頭頂部の位置がパルス２１のパルス幅（ＦＷＨＭ）２２の半分に相当する時間差２３だけずれる（ウォークオフ）と、ＸＰＭの効率がピーク値に比較して５０％劣化してしまうという問題があった。
【００４２】
これに対し、本実施形態の矩形状コントロール光１２は、矩形化器３により波形を矩形波２４のように整形されることから、上記の時間差２３に相当するウォークオフが発生しても、矩形状コントロール光１２の光強度がピーク値からわずかしか低下していないため、ＸＰＭの効率もほとんど劣化しないといった効果が得られる。
【００４３】
上記の通り、コントロール光を図２に示す矩形波２４のように整形することにより、仮にＮＯＬＭ２の内部で矩形状コントロール光１２とプローブ光１３Ａとの間にウォークオフが発生した場合でも、矩形状コントロール光１２の光強度が頭頂部からほとんど低下しないため、ＸＰＭの発生効率もほぼ一定とすることができ、所望のＮＯＬＭ伝達関数を実現することが可能となる。
【００４４】
矩形化器３において、パルス状コントロール光１１を矩形状コントロール光１２に整形する方法として、パルス状コントロール光１１を所定の光ファイバに伝搬させることで矩形化する方法がある（例えば非特許文献１あるいは非特許文献２）。例えば、偏波保持ファイバを用い、直交する固有偏波状態に等分にエネルギーが配分されるようにパルス状コントロール光１１を前記偏波保持ファイバに入射することで、パルス状コントロール光１１のパルス波形を矩形化することができる。
【００４５】
あるいは、正常分散ファイバ中の非線形効果を用いて波形を矩形化する方法もある。例えば、パルス状コントロール光１１の光パルスの自己位相変調（ＳＰＭ）と、正常分散ファイバの正常分散効果との相互作用により、光パルスの時間波形を矩形化することができる。また、正常分散ファイバとして高非線形ファイバを用いることで、矩形化の効率を高めることができる。
【００４６】
さらに、高非線形ファイバと低非線形正常分散ファイバとを接続し、各ファイバの非線形効果と正常分散効果を光パルスに順次独立して与えることで、さらに効率のよい矩形化を実現することができる。
【００４７】
偏波保持ファイバを用いてパルス状コントロール光１１のパルス波形を矩形化する方法を、図３を用いて詳細に説明する。図３は、簡単のため強度波形が三角形の光３１を偏波保持ファイバ３２に入射した例を示している。偏波保持ファイバ３２は、固有偏波軸であるｘ偏波軸３３とｙ偏波軸３４を有しており、図３では光３１をそれぞれの固有偏波軸の成分、ｘ偏波成分３１ｘとｙ偏波成分３１ｙ、に分解して示している。
【００４８】
光３１を偏波保持ファイバ３２に入射すると、ｘ偏波軸３３の方向とｙ偏波軸３４の方向とで伝搬速度が異なるために、ｘ偏波成分３１ｘとｙ偏波成分３１ｙとの間に遅延量が発生する。図３では、ｘ偏波成分３１ｘに対する遅延量がｙ偏波成分３１ｙに発生している。この遅延量により、偏波保持ファイバ３２から光強度が矩形化された光３５が出力される。
【００４９】
光３５の波形は、偏波保持ファイバ３２から出力されるｘ偏波成分３１ｘとｙ偏波成分３１ｙとを合成して形成されることから、前記遅延量を調整することで光３５の波形を変えることができる。前記遅延量は、偏波保持ファイバ３２を伝搬する距離が長くなるほど大きくなることから、偏波保持ファイバ３２の長さを調整することで、前記遅延量を調整して光３５の波形を調整することができる。すなわち、偏波保持ファイバ３２の長さを調整することで、所望の矩形波を実現することが可能となる。
【００５０】
パルス波形を矩形化する別の方法として、正常分散ファイバ中の非線形効果を用いる方法を、図４に基づいて以下に説明する。図４は、パルス光４１を正常分散ファイバ４２に入射することで、矩形波４３を出力する例を示している。
【００５１】
図４に示す例で用いる正常分散ファイバ４２としては、１．５５μｍ帯で分散値が零となる分散シフトファイバ（ＤＳＦ）を用いることができる。そして、矩形状コントロール光１２の波長では正常分散となるよう、矩形状コントロール光１２の波長を零分散波長からある程度ずらして用いることにより、パルス光４１を矩形化することが可能となる。
【００５２】
パルス波形を矩形化するさらに別の方法として、非線形効果の効率を高めるため、図５に示すように、矩形状コントロール光１２の波長で正常分散値を持つ高非線形ファイバ４４を用いる方法が考えられる。
【００５３】
あるいは、パルス波形を矩形化するさらに別の方法として、矩形状コントロール光１２の波長で零分散もしくは小さな正常分散値を持つ高非線形ファイバと、非線形性が低くて大きな正常分散値を持つファイバ、例えば分散補償ファイバを用いる方法がある。
【００５４】
このような２種類のファイバを用いることで、非線形効果と正常分散効果のそれぞれを独立して順に与えることが可能となり、より高い効率で矩形化を実現することができる。図６では、零分散高非線形ファイバ４５と正常分散低非線形ファイバ４６を用いた例を示している。
【００５５】
なお、本実施の形態における記述は、本発明に係る光ＡＤ変換方法及び光ＡＤ変換器の一例を示すものであり、これに限定されるものではない。本実施の形態における光ＡＤ変換方法及び光ＡＤ変換器の細部構成及び詳細な動作等に関しては、本発明の趣旨を逸脱しない範囲で適宜変更可能である。
【図面の簡単な説明】
【００５６】
【図１】図１は、本発明の実施の形態に係る光ＡＤ変換器の構成を示す模式図である。
【図２】図２は、パルス状コントロール光を略矩形状に整形して矩形状コントロール光を形成する波形整形の一例を示す図である。
【図３】図３は、ファイバを用いてパルス状コントロール光のパルス波形を矩形化する方法を示す模式図である。
【図４】図４は、ファイバを用いてパルス状コントロール光のパルス波形を矩形化する別の方法を示す模式図である。
【図５】図５は、ファイバを用いてパルス状コントロール光のパルス波形を矩形化するさらに別の方法を示す模式図である。
【図６】図６は、ファイバを用いてパルス状コントロール光のパルス波形を矩形化するさらに別の方法を示す模式図である。
【図７】図７は、従来の光ＡＤ変換器の構成を示す模式図である。
【図８】図８は、コントロール光とプローブ光の頭頂部の位置が一致した状態を示す模式図である。
【図９】図９は、コントロール光とプローブ光との間に時間位置のずれ（ウォークオフ）が発生した状態を示す模式図である。
【符号の説明】
【００５７】
１、・・・光ＡＤ変換器
２、１０１・・・ＮＯＬＭ
３・・・矩形化器
４、６、１０２、１０３・・・光カプラ
５・・・光ファイバ
７、１０４・・・入力ポート
８、１０５・・・透過ポート
１１・・・パルス状コントロール光
１２・・・矩形状コントロール光
１３、１１２・・・プローブ光
１４，１１３・・・スイッチングされたプローブ光
２２、１２１・・・パルス幅
２３、１２２・・・時間差
３１、３５・・・光
３２・・・偏波保持ファイバ
３３・・・ｘ偏波軸
３４・・・ｙ偏波軸
４１・・・パルス光
４２・・・正常分散ファイバ
４３・・・矩形波
４４、４５・・・高非線形ファイバ
４６・・・低非線形正常分散ファイバ
１１１・・・コントロール光
【図１】
2007256323.tif 000003
【図２】
2007256323.tif 000004
【図３】
2007256323.tif 000005
【図４】
2007256323.tif 000006
【図５】
2007256323.tif 000007
【図６】
2007256323.tif 000008
【図７】
2007256323.tif 000009
【図８】
2007256323.tif 000010
【図９】
2007256323.tif 000011